(57)【要約】      （修正有）【課題】内壁が破損してもすぐ取り替える必要がなく、長く使用できる搬送装置を提供する。【解決手段】ハウジング２は、内壁２１と外壁２２とにより挟持スペース２２１を画成した２層構造をなしている。これによって、内壁２１が穴２１４が形成されるまで破損しても、対象物４が穴２１４を介して挟持スペース２２１に落下して穴２１４の開口が閉塞されるまで堆積する。内壁２１が破損しても対象物が順調に搬送されることができる。ハウジング２が破損しても直ぐに取り替える必要がないので、長く使用できる。【選択図】図３
0003195714.tif 000002
【実用新案登録請求の範囲】
【請求項１】
投入された対象物を搬送する搬送装置であって、
前記対象物が通過する投入口を有する収容室を画成するように設けられた内壁と、前記内壁とにより挟持スペースを画成するように、前記内壁を取り囲んで設けられた外壁とで二重構造をなしているハウジングと、
前記収容室内に配置され、前記投入口に近接して前記収容室内に自身の軸を中心として回転するように設けられたホイールボディと、前記軸を中心とする周方向に所定の角間隔をおいて前記軸に沿う軸方向と垂直な径方向に外向きに突き出て設けられた複数の羽根とを有するインペラホイールとを備え、
前記ホイールボディの外周面における隣り合う前記羽根同士間には、前記対象物を収容すると共に、前記ホイールボディの回転につれて前記対象物を運ぶ前記軸方向に延びる収容溝が形成されていることを特徴とする搬送装置。
【考案の詳細な説明】
【技術分野】
【０００１】
本考案は、籾や麦等の主要穀物を搬送する搬送装置に関する。
【背景技術】
【０００２】
麦、稲等の対象物を搬送する搬送装置としては、例えば図４に示されているように、対象物１３を納める収容室１１１を画成するように装置本体に取り付けられたハウジング１１、収容室１１１内に配置されて対象物１３を回転して収容室１１１に落下収容するインペラホイール１２等を有するものが知られている。
【考案の概要】
【考案が解決しようとする課題】
【０００３】
対象物１３は、インペラホイール１２によって回転されながら収容室１１１に投入されるとき、対象物１３の自身の重力や回転による遠心力等によって収容室１１１の底部に突き当たりながら落下する。このように対象物１３から衝撃を受けることで、収容室１１１の底壁が摩損して穴１１２が開き、対象物１３がそこから漏れる問題点がある。
【０００４】
本考案は、長く使用できる搬送装置を提供することを目的とする。
【課題を解決するための手段】
【０００５】
上記目的を達成するために、本考案に係る搬送装置は、投入された対象物を搬送する搬送装置であって、前記対象物が通過する投入口を有する収容室を画成するように設けられた内壁と、前記内壁とにより挟持スペースを画成するように、前記内壁を取り囲んで設けられた外壁とで二重構造をなしているハウジングと、前記収容室内に配置され、前記投入口に近接して前記収容室内に自身の軸を中心として回転するように設けられたホイールボディと、前記軸を中心とする周方向に所定の角間隔をおいて前記軸に沿う軸方向と垂直な径方向に外向きに突き出て設けられた複数の羽根とを有するインペラホイールとを備え、前記ホイールボディの外周面における隣り合う前記羽根同士間には、前記対象物を収容すると共に、前記ホイールボディの回転につれて前記対象物を運ぶ前記軸方向に延びる収容溝が形成されていることを特徴とする。
【考案の効果】
【０００６】
本考案に係る搬送装置において、内壁と外壁とにより挟持スペースを画成した２層構造をなしているハウジングを有するので、内壁が対象物による衝突を受けて穴が形成されるまで破損しても、対象物が穴を介して挟持スペースに落下して穴の開口が閉塞するまで堆積する。従って、内壁が破損しても対象物が順調に搬送されることができるので、内壁が破損してもすぐ取り替える必要がなく、装置を長く使用できる、即ちその長寿命化が図られる。
【図面の簡単な説明】
【０００７】
【図１】本考案に係る搬送装置の一の実施の形態を示す斜視図である。
【図２】図１の側面断面図である。
【図３】本考案に係る搬送装置の動作及び作用を説明する側面断面図である。
【図４】従来の搬送装置の一例を示す側面断面図である。
【考案を実施するための形態】
【０００８】
以下、本考案に係る搬送装置について添付した図面を参照して具体的に説明する。
図１は、本考案に係る搬送装置の一つの実施の形態を示す斜視図、図２は図１の側面断面図である。この実施の形態に係る搬送装置は、例えば穀物等の対象物４（図３参照）を貯留しているタンク（図示せず）から対象物４を投入して搬送するものであり、図示の如く、対象物４を納める収容室２１１を画成するハウジング２と、収容室２１１内に配置されて対象物４を回転して収容室２１１に落下・収容するインペラホイール３１とを備えている。
【０００９】
ハウジング２は、対象物４が通過する投入口２１２を有する収容室２１１を画成するように設けられた内壁２１と、内壁２１とにより挟持スペース２２１を画成するように、内壁２１を取り囲んで設けられた外壁２２とで、例えばその上部が開放された二重構造をなしている。そして、内壁２１から外壁２２に貫通して収容室２１１が外部に連通するように、対象物４を外部に搬出するための連通口２１５が設けられている。
【００１０】
インペラホイール３１は、投入口２１２に近接して収容室２１１内に回転可能にハウジング２に取り付けられ、自身の軸（図２において紙面直交方向に設定される）を中心として回転するように自身の軸を取り囲む筒状をなすホイールボディ３１１と、自身の軸を中心とする周方向に所定の角間隔をおいて自身の軸に沿う軸方向と垂直な径方向に外向きに突き出て設けられた複数の羽根３１２とを有する。ホイールボディ３１１の外周面における隣り合う羽根３１２同士間には、対象物４を運ばせる軸方向に延びる収容溝３１３が形成されている。
【００１１】
次に、上記のように構成された本考案に係る搬送装置の動作及び作用等について説明する。
使用時、対象物４は投入口２１２から収容室２１１に投入される。収容室２１１に投入された対象物４はホイールボディ３１の収容溝３１３に入り込んで堆積する。インペラホイール４が回転すると、対象物４の重力及び回転による遠心力によって、対象物４が収容溝３１３から離れて収容室２１１の底部２１３に衝突しながら落下する。
【００１２】
インペラホイール３１の回転によって落下した対象物４が、収容室２１１の底部２１３に衝突しながら落下するので、使用する時間が経つにつれ、内壁２１は対象物４による衝撃を受けて摩損する場合がある。摩損が進むと、そのままでは穴２１４が形成されて内壁２１が破損するが、対象物が穴２１４を介して挟持スペース２２１に入り込んで穴２１４付近の挟持スペース２２１を充満し、遂には穴２１４の開口が閉塞される。これにより対象物４は、穴２１４が閉塞された収容室２１１から漏れずに外部に順調に搬出されることができる。
【００１３】
このように本考案に係る搬送装置は、内壁２１と外壁２２とにより２層構造のハウジング２をなしているので、対象物４による衝撃を受けて内壁２１が、穴２１４が形成されるまで破損しても、対象物４が穴２１４を介して挟持スペース２２１に落下・堆積して、穴２１４の開口が閉塞されるまで穴２１４付近の挟持スペース２２１を充満する。これによって、対象物４が漏れずに収容室２１１から搬出されることができる。従って、ハウジング２の内壁２１が破損しても直ぐに取り替える必要がないので、長く使用でき、即ちその長寿命化が図られる。また、コストの節減を図ることができる。更に、内壁２１の穴２１４付近の挟持スペース２２１は対象物４が堆積して充満しているので、内壁２１のとりわけ穴２１４付近の構造強度を高め、対象物４に対する耐衝撃性を高めることができる。
本考案に係る搬送装置は、例えば穀物を乾燥する乾燥機に用いられる搬送装置に有用である。
【符号の説明】
【００１４】
２  ハウジング、２１  内壁、２１１  収容室、２１２  投入口、２１３  底部、２１４  穴、２１５  連通口、２２  外壁、２２１  挟持スペース、３１  インペラホイール、３１１  ホイールボディ、３１２  羽根、３１３  収容溝、４  対象物。
【図１】
0003195714.tif 000003
【図２】
0003195714.tif 000004
【図３】
0003195714.tif 000005
【図４】
0003195714.tif 000006